(57)【要約】【課題】    本発明の目的は、歩き易く、しかも、疲れにくい靴底を提供するものである。【解決手段】    靴底Ｇは、ロッカー形状を備える靴底Ｇであって、靴底Ｇは、屈曲方向に指向性を有し、靴底Ｇの踵部と靴底Ｇの爪先部が近づく下に凸方向の変形を許容し、靴底Ｇの前記踵部と靴底Ｇの前記爪先部が遠ざかる上に凸方向の変形を規制するものである。【選択図】図１
2018011769.tif 000002
【特許請求の範囲】
【請求項１】
ロッカー形状を備える靴底であって、前記靴底は、屈曲方向に指向性を有し、前記靴底の踵部と前記靴底の爪先部が近づく下に凸方向の変形を許容し、前記靴底の前記踵部と前記靴底の前記爪先部が遠ざかる上に凸方向の変形を規制するものである
ことを特徴とする靴底。
【請求項２】
請求項１に記載の靴底において、前記靴底の踏みつけ部の屈曲性を高めるとともに、
前記靴底の踏みつけ部上面、もしくは全面に屈曲性の良い非伸縮性の部材を貼り合せる
ことにより、前記靴底の踵部と前記靴底の爪先部が近づく下に凸方向の変形を許容しながら、前記靴底の爪先部の下方向への変形を規制することを特徴とする靴底。
【請求項３】
靴底の屈曲範囲において、靴底上面に靴底の長手方向を横断する方向に溝部を設け、
屈曲性を高めた請求項２に記載の靴底。
【請求項４】
靴底の屈曲範囲において、靴底底面に靴底の長手方向を横断する方向に溝部を設け、
屈曲性を高めた請求項２に記載の靴底。
【請求項５】
請求項３と請求項４に記載の溝部は、前記靴底の上面と底面とで位置が対になっていることを特徴とする靴底。
【請求項６】
請求項４に記載の靴底底面の溝部の下側に、伸縮性が高く、圧縮性の低い部材を、前記溝部に対して橋架けして貼り合せることを特徴とした靴底。
【請求項７】
アッパーを備える履物であって、
前記履物の靴底は、下方から上方に向かって、順次、アウトソール、ミッドソール、中底を有し、
前記ミッドソールは、踵より爪先に近い側に下に凸となる凹み部を有し、
前記中底は、中間部材を介して接続され、
前記中間部材は、非伸縮で屈曲性を有し、
前記中間部材は、前記凹み部の上に位置し、
前記中間部材は、前記中底の前記踵部と前記中底の前記爪先部が近づく下に凸方向の変形を許容し、前記中底の前記踵部と前記中底の前記爪先部が遠ざかる上に凸方向の変形を規制するものである
ことを特徴とする履物。
【請求項８】
アッパーを備える履物であって、
前記履物の靴底は、下方から上方に向かって、順次、アウトソール、ミッドソール、中底を有し、
前記靴底は、前記靴底の踵部と前記靴底の爪先部が近づく下に凸方向の変形を許容し、前記靴底の前記踵部と前記靴底の前記爪先部が遠ざかる上に凸方向の変形を規制する
ことを特徴とする履物の靴底の変形方法。
【請求項９】
アッパーを備える履物であって、
前記履物の靴底は、下方から上方に向かって、順次、アウトソール、ミッドソール、中底を有し、
前記ミッドソールは、踵より爪先に近い側に下に凸となる凹み部を有し、
前記中底は、非伸縮で屈曲性を有し、前記ミッドソールの上面を全体に亘って覆い、
前記中底は、前記中底の前記踵部と前記中底の前記爪先部が近づく下に凸方向の変形を許容し、前記中底の前記踵部と前記中底の前記爪先部が遠ざかる上に凸方向の変形を規制する
ことを特徴とする履物。
【請求項１０】
中底に接着され、前記中底の上面を全体に亘って覆うカバー体を設け、このカバー体は、非伸縮で屈曲性を有している
ことを特徴とする請求項７記載の履物。
【請求項１１】
靴底の不踏部と爪先部との間の屈曲範囲において、ミッドソールの上面に、前記ミッドソールの長手方向を横断する方向に上面溝部を、前記ミッドソールの底面に、前記ミッドソールの長手方向を横断する方向に底面溝部を、それぞれ設け、
平面視、前記上面溝部の下に前記底面溝部が位置している
ことを特徴とする請求項７又は請求項９又は請求項１０記載の履物。
【請求項１２】
靴底の不踏部と爪先部との間の屈曲範囲において、アウトソールの底面に、前記アウトソールの長手方向を横断する方向に底面溝部を設け、
平面視、ミッドソールの上面溝部の下に前記ミッドソールの底面溝部及び前記アウトソールの前記底面溝部が位置している
ことを特徴とする請求項１１記載の履物。
【発明の詳細な説明】
【技術分野】
【０００１】
本発明は、靴底、履物及び履物の靴底の変形方法に係り、特に、歩き易く、しかも疲れにくい靴底、履物及び履物の靴底の変形方法に関する。
【背景技術】
【０００２】
従来、転がるような動きで、高齢者でも容易に歩けるものとして、「ロッカー靴」と称される履物がある。
【発明の概要】
【発明が解決しようとする課題】
【０００３】
しかしながら、上記「ロッカー靴」と称される履物においては、靴底のロッカー形状を維持するために、靴底が曲がりにくくできており、特に、踵離地時、靴底が屈曲せず、
踵の動きに追随しない為、踵が脱げ易くなるという問題が生じた。
【０００４】
本発明は、上記実情を考慮してなされた靴底、履物及び履物の靴底の変形方法を提供することを目的とする。
【課題を解決するための手段】
【０００５】
本発明に係わる靴底は、踏みつけ部から爪先部にかけて、ロッカー形状を備える靴底であって、前記靴底は、屈曲方向に指向性を有していることを特徴とするものである。
屈曲方向に指向性を有するとは、前記靴底の踵部と前記靴底の爪先部が近づく下に凸方向の変形を許容し、前記靴底の前記踵部と前記靴底の前記爪先部が遠ざかる上に凸方向の変形を規制することである。
【０００６】
本発明に係わる靴底において、前記靴底の踏みつけ部の屈曲性を高めることで、前記靴底の踵部と前記靴底の爪先部が近づく下に凸方向に変形し易くし、踵が接地面から離れる時に、靴底が踵から離間することを防いで、踵の動きに靴底が追随して屈曲するため、歩き易く、疲れにくい履物を得ることができる。
しかし、屈曲性を高めることで、前記靴底の前記踵部と前記靴底の前記爪先部が遠ざかる上に凸方向の変形もしやすくなり、前記靴底のロッカー機能が損なわれてしまうため、その変形を規制する必要がある。
前記靴底の上面において、前記靴底の屈曲範囲、もしくは全面に、屈曲性の良い非伸縮性の部材を貼り合せることにより、前記靴底の踵部と前記靴底の爪先部が近づく下に凸方向の変形を許容し、前記靴底の前記踵部と前記靴底の前記爪先部が遠ざかる上に凸方向の変形を規制することができる。
【０００７】
靴底の踏みつけ部の屈曲性を高めるための手段として、前記靴底の屈曲範囲において、靴底上面に靴底の長手方向を横断する方向に溝部を設けている。
溝の位置を狙いの屈曲位置に配置することで、その溝部を起点として靴底が屈曲し、靴底の足への追随性が良くなる。
【０００８】
靴底の踏みつけ部の屈曲性を高めるための手段として、前記靴底の屈曲範囲において、靴底底面に靴底の長手方向を横断する方向に溝部を設けている。
さらに、靴底底面の溝部は、前記靴底上面の溝部の位置に対して、対になって配置されることにより、狙いの屈曲位置での屈曲性をより高めることができ、また、溝の幅や長さ、深さ等を変えることで、屈曲度合を調整することも可能である。
【０００９】
前記靴底の底面に設けられた溝部の下側に、伸縮性が高く、圧縮性の低い部材を貼り合せることで、前記靴底の踵部と前記靴底の爪先部が近づく下に凸方向の変形を許容し、前記靴底の前記踵部と前記靴底の前記爪先部が遠ざかる上に凸方向の変形を規制することができる。
【００１０】
また、請求項７記載の履物は、アッパーを備える履物であって、前記履物の靴底は、下方から上方に向かって、順次、アウトソール、ミッドソール、中底を有し、前記ミッドソールは、踵より爪先に近い側に下に凸となる凹み部を有し、前記中底は、中間部材を介して接続され、前記中間部材は、非伸縮で屈曲性を有し、前記中間部材は、前記凹み部の上に位置し、前記中間部材は、前記中底の前記踵部と前記中底の前記爪先部が近づく下に凸方向の変形を許容し、前記中底の前記踵部と前記中底の前記爪先部が遠ざかる上に凸方向の変形を規制するものである。
この請求項７記載の履物によれば、ミッドソールは、踵より爪先に近い側に下に凸となる凹み部を有し、中間部材は、前記凹み部の上に位置し、中底は、中間部材を介して接続され、前記中間部材は、前記中底の踵部と前記中底の爪先部が近づく下に凸方向の変形を許容するため、中底の踵部と中底の爪先部が近づく下に凸方向に変形し易くして、踵が接地面から離れる際、中底が踵から離間することを防いで、踵の動きに靴底が追随して屈曲して、歩き易く、しかも、疲れにくい履物を得ることができ、
また、中間部材は、非伸縮性であるため、中底の踵部と中底の爪先部が遠ざかる上に凸方向の変形をしようとする時に、中間部材が緊張状態になるため、中底の踵部と中底の爪先部が遠ざかる上に凸方向の変形を規制するため、接地面を蹴り出す時、靴底の変形を防いで、荷重を推進力に変えて、歩き易く、しかも、疲れにくい履物を得ることができる。
【００１１】
また、請求項８記載の履物の靴底の変形方法は、アッパーを備える履物であって、前記履物の靴底は、下方から上方に向かって、順次、アウトソール、ミッドソール、中底を有し、前記靴底は、前記靴底の踵部と前記靴底の爪先部が近づく下に凸方向の変形を許容し、前記靴底の前記踵部と前記靴底の前記爪先部が遠ざかる上に凸方向の変形を規制するものである。
この請求項８記載の履物の靴底の変形方法によれば、靴底は、前記靴底の踵部と前記靴底の爪先部が近づく下に凸方向の変形を許容し、前記靴底の前記踵部と前記靴底の前記爪先部が遠ざかる上に凸方向の変形を規制するため、靴底の踵部と靴底の爪先部が近づく下に凸方向に変形し易くして、踵が接地面から離れる際、靴底が踵から離間することを防いで、踵の動きに靴底が追随して屈曲して、歩き易く、しかも、疲れにくい履物を得ることができ、
また、靴底の踵部と靴底の爪先部が遠ざかる上に凸方向の変形をしようとする時に、靴底の踵部と靴底の爪先部が遠ざかる上に凸方向の変形を規制するため、接地面を蹴り出す時、靴底の変形を防いで、荷重を推進力に変えて、歩き易く、しかも、疲れにくい履物を得ることができる。
【００１２】
また、請求項９記載の履物は、アッパーを備える履物であって、前記履物の靴底は、下方から上方に向かって、順次、アウトソール、ミッドソール、中底を有し、前記ミッドソールは、踵より爪先に近い側に下に凸となる凹み部を有し、前記中底は、非伸縮で屈曲性を有し、前記ミッドソールの上面を全体に亘って覆い、前記中底は、前記中底の前記踵部と前記中底の前記爪先部が近づく下に凸方向の変形を許容し、前記中底の前記踵部と前記中底の前記爪先部が遠ざかる上に凸方向の変形を規制するものである。
この請求項９記載の履物によれば、ミッドソールは、踵より爪先に近い側に下に凸となる凹み部を有し、中底は、非伸縮で屈曲性を有し、前記ミッドソールの上面を全体に亘って覆い、前記中底は、前記中底の前記踵部と前記中底の前記爪先部が近づく下に凸方向の変形を許容するため、中底の踵部と中底の爪先部が近づく下に凸方向に変形し易くして、踵が接地面から離れる際、中底が踵から離間することを防いで、踵の動きに靴底が追随して屈曲して、歩き易く、しかも、疲れにくい履物を得ることができ、
また、ミッドソールは、踵より爪先に近い側に下に凸となる凹み部を有し、中底は、非伸縮で屈曲性を有し、前記ミッドソールの上面を全体に亘って覆っているため、中底の踵部と中底の爪先部が遠ざかる上に凸方向の変形をしようとする時に、中底が緊張状態になるため、中底の踵部と中底の爪先部が遠ざかる上に凸方向の変形を規制するため、接地面を蹴り出す時、靴底の変形を防いで、荷重を推進力に変えて、歩き易く、しかも、疲れにくい履物を得ることができる。
【００１３】
また、請求項１０記載の履物は、請求項７記載の履物において、中底に接着され、前記中底の上面を全体に亘って覆うカバー体を設け、このカバー体は、非伸縮で屈曲性を有しているものである。
この請求項１０記載の履物によれば、前述した請求項７記載の発明の効果に加え、中底に接着され、前記中底の上面を全体に亘って覆うカバー体を設け、このカバー体は、非伸縮で屈曲性を有しているため、靴底の踵部と前記靴底の爪先部が近づく下に凸方向の変形をより許容し、前記靴底の前記踵部と前記靴底の前記爪先部が遠ざかる上に凸方向の変形をより規制することができる。
【００１４】
また、請求項１１記載の履物は、請求項７又は請求項９又は請求項１０記載の履物において、靴底の屈曲範囲において、靴底の不踏部と爪先部との間の屈曲範囲において、ミッドソールの上面に、前記ミッドソールの長手方向を横断する方向に上面溝部を、前記ミッドソールの底面に、前記ミッドソールの長手方向を横断する方向に底面溝部を、それぞれ設け、平面視、前記上面溝部の下に前記底面溝部が位置しているものである。                      
この請求項１１記載の履物によれば、前述した請求項７又は請求項９又は請求項１０記載の発明の効果に加え、靴底の不踏部と爪先部との間の屈曲範囲において、ミッドソールの上面に、前記ミッドソールの長手方向を横断する方向に上面溝部を、前記ミッドソールの底面に、前記ミッドソールの長手方向を横断する方向に底面溝部を、それぞれ設け、
平面視、前記上面溝部の下に前記底面溝部が位置しているため、靴底の屈曲性を向上させて変形し易くして、踵が接地面から離れる際、中底が踵から離間することを防いで、踵の動きに中底が追随して屈曲して、歩き易く、しかも、疲れにくい履物を得ることができる。
【００１５】
また、請求項１２記載の履物は、請求項１１記載の履物において、靴底の屈曲範囲において、靴底の不踏部と爪先部との間の屈曲範囲において、アウトソールの底面に、前記アウトソールの長手方向を横断する方向に底面溝部を設け、平面視、ミッドソールの上面溝部の下に前記ミッドソールの底面溝部及び前記アウトソールの前記底面溝部が位置しているものである
この請求項１２記載の履物によれば、前述した請求項１１記載の発明の効果に加え、靴底の不踏部と爪先部との間の屈曲範囲において、アウトソールの底面に、前記アウトソールの長手方向を横断する方向に底面溝部を設け、平面視、ミッドソールの上面溝部の下に前記ミッドソールの底面溝部及び前記アウトソールの前記底面溝部が位置しているため、靴底の屈曲性をより向上させて変形し易くして、踵が接地面から離れる際、中底が踵から離間することをより防いで、踵の動きに中底が追随して屈曲して、より歩き易く、しかも、より疲れにくい履物を得ることができる。
【図面の簡単な説明】
【００１６】
【図１】図１は、本発明の一実施例の靴底を備える履物の概略的側面図である。
【図２】図２は、図１の履物の概略的断面図である。
【図３】図３は、図２の一部を分解して示す概略的分解斜視図である。（上から順に、非伸縮性部材を全面に使用した中底、非伸縮性部材を踏み付け部のみに使用した中底、ミッドソール、アウトソールを示す）
【図４】図４は、図３のアウトソールの底面図である。
【図５】図５は、歩行周期の概略的図である。
【図６】図６は、図１の履物の蹴り出し時の説明図である。
【図７】図７は、図１の履物の踵離地時の説明図である。
【発明を実施するための形態】
【００１７】
本発明の一実施例の靴底、履物及び履物の靴底の変形方法について、図を参照して説明する。
図１に示すＦは履物で、履物Ｆは、ロッカー形状を備えた靴底Ｇとアッパー３とを備えている。
靴底Ｇは、図２に示すようにアウトソール１とミッドソール２を備え、ミッドソール２の上面には、中底４が貼り合されている。
つまり、履物Ｆの靴底Ｇは、下方から上方に向かって、順次、アウトソール１、ミッドソール２、中底４を有している。
アウトソール１は、ミッドソール２の底面の一部もしくは、全面に貼り合されており、アウトソール１の材質は、例えば、高伸縮性かつ低圧縮性の合成ゴムや天然ゴム、ＥＶＡ（エチレン・酢酸ビニル共重合樹脂）、ＰＵ（ポリウレタン）等が用いられ、アウトソール１の硬度は、アスカーゴム硬度計Ｃ型で硬度５０〜８０の範囲内が好ましい。
中底４は、ミッドソール２の上面に貼り合されており、靴底の屈曲範囲（靴底の不踏部１Ａと爪先部１Ｂとの間の屈曲範囲１Ｃ）、もしくは靴底上面全面に、屈曲性の良い、非伸縮性の部材５が用いられる。
前記部材５を靴底Ｇの屈曲範囲のみに使用する場合は図３に示すように、中底４の中間部材として使用され、中底４の踵部側部材４１と爪先部側部材４２とを接続している。
前記部材５は、屈曲性が良いため、靴底上面全体に使用した場合でも、屈曲範囲のみに
使用した場合でも、靴底の屈曲性を阻害することなく、中底４の踵部４Ｘと中底４の爪先部４Ｙが近づく下に凸方向の変形を許容する。
また、前記部材５は、非伸縮性であるため、中底４の踵部４Ｘと中底４の爪先部４Ｙが遠ざかる上に凸方向の変形をしようとする時に、前記部材５が緊張状態になるため、中底４の踵部４Ｘと中底４の爪先部４Ｙが遠ざかる上に凸方向の変形を規制する。
部材５は、例えば、天然繊維や化学繊維等からなる、屈曲性の良い非伸縮性の生地を使用する。
中底４の踵部側部材４１と爪先部側部材４２には、例えば、靴の中底の芯材として広く使用されているテキソン（商標名）と呼ばれる含浸紙や厚紙、合成樹脂、革等が使用される。 
なお、ミッドソール２は、図３に示すように、踵より爪先に近い側に下に凸となる凹み部２０を有し、中底４は、中間部材（中底４の踵部側部材４１と爪先部側部材４２との間の部材５）を介して接続され、中間部材（中底４の踵部側部材４１と爪先部側部材４２との間の部材５）は、非伸縮で屈曲性を有し、中間部材（中底４の踵部側部材４１と爪先部側部材４２との間の部材５）は、凹み部２０上に位置し（図３参照）、中間部材（中底４の踵部側部材４１と爪先部側部材４２との間の部材５）は、中底４の踵部４Ｘと中底４の爪先部４Ｙが近づく下に凸方向の変形を許容し、中底４の踵部４Ｘと中底４の爪先部４Ｙが遠ざかる上に凸方向の変形を規制する。
図３に示すように、中底４（図３中の中底４、４の内、下方に位置する中底４）に接着され、中底（図３中の中底４、４の内、下方に位置する中底４）の上面を覆うカバー体（図３中の中底４、４の内、上方に位置する中底４）を設け、このカバー体（図３中の中底４、４の内、上方に位置する中底４）は、中間部材（中底４の踵部側部材４１と爪先部側部材４２との間の部材５）と同様、非伸縮で屈曲性を有している。
本実施例においては、図３に中底４、４と二部材設けたが、場合により、図３中の中底４、４の内、上方に位置する中底４を省略し、図３中の中底４、４の内、下方に位置する中底４のみとしても良いし、また、図３中の中底４、４の内、下方に位置する中底４を省略し、図３中の中底４、４の内、上方に位置する中底４のみとしても良い。
【００１８】
図２及び図３に示すミッドソール２は、アウトソール１と中底４の間に位置し、踏み付け部１Ｃにて曲がりやすくなるように、靴底Ｇの長手方向を横断する方向に溝部２Ｍが複数設けられている。
溝部２Ｍは、靴底Ｇの屈曲範囲にて、ミッドソール２の上面と底面に設けられ、上面の溝と底面の溝の位置が、対になることで、より一層、靴底の屈曲性が良好になり、踵が接地面Ｈから離れる際、足の踵が靴底Ｇから離間することを防いで、踵の動きに靴底Ｇが追随してより屈曲して、歩き易く、しかも、疲れにくい履物Ｆを得ることができる。
ミッドソール２の材質は、例えば、ＰＵ（ポリウレタン）、ＥＶＡ（エチレン・酢酸ビニル共重合樹脂）、合成ゴム等が適用可能である。
つまり、靴底Ｇの屈曲範囲において、ミッドソール２の上面に、ミッドソール２の長手方向を横断する方向に上面溝部２Ｍを、ミッドソール２の底面に、ミッドソール２の長手方向を横断する方向に底面溝部２Ｍを、それぞれ設け、平面視、上面溝部２Ｍの下に底面溝部２Ｍが位置している。
【００１９】
屈曲性を高めたミッドソール２に対し、靴底Ｇの踏み付け部から爪先部が靴底底面方向へ落ち込まないように、ミッドソール２の底面側の溝部２Ｍを橋架けしてまたぐ、または被うようにアウトソール１を貼り合せている。
アウトソール１は、高伸縮性、低圧縮性の合成ゴム等でできているため、靴底が屈曲する際には、溝部の広がりに合わせて伸張し、屈曲性を阻害しないうえ、靴底の踏み付け部から爪先部へ下側方向への力が働く際には、アウトソール１が圧縮し難い為、変形を抑制する。
また、図２乃至図４に示すように、アウトソール１の底面において、ミッドソール２の底面に設置された溝部２Ｍの直下に、溝部１Ｍを設けることで、アウトソール１の屈曲位置での伸長性をより良好にすることができ、靴底Ｇの屈曲性を向上することが可能になる。
つまり、平面視、ミッドソール２の上面溝部２Ｍの下にミッドソール２の底面溝部２Ｍ及びアウトソール１の底面溝部１Ｍが位置している。
【００２０】
靴底Ｇ、およびそれを備えた履物Ｆによれば、上述した構造により、靴底Ｇの屈曲方向に指向性を持ち、靴底Ｇの踵部と靴底の爪先部が近づく下に凸方向の変形を許容する為、中底の踵部４Ｘと中底の爪先部４Ｙが近づく下に凸方向に変形し易くして、踵が接地面Ｈから離れる時に、踵が中底４から離間することを防いで、踵の動きに靴底が追随して屈曲して、歩き易く、しかも、疲れにくい履物Ｆを得ることができる。（図５及び図７参照）
また、中底４の踵部４Ｘと中底４の爪先部４Ｙが遠ざかる上に凸方向の変形を規制する為、接地面Ｈを蹴り出す時、靴底の底面方向への変形を防いで、ロッカー形状を維持し、荷重を推進力に変えて歩き易く、しかも、疲れにくい履物を得ることができる。（図５及び図６参照）
【００２１】
履物Ｆの靴底Ｇの変形方法の靴底Ｇは、靴底Ｇの踵部と靴底Ｇの爪先部が近づく下に凸方向の変形を許容し、靴底Ｇの踵部と靴底Ｇの爪先部が遠ざかる上に凸方向の変形を規制する。
つまり、靴底Ｇによれば、靴底Ｇの屈曲方向に指向性があり、靴底Ｇのみで靴底爪先部の下側方向への変形を規制することが可能になるため、アッパー３のデザインや材質、例えばオープントゥのデザインやストレッチ素材など、選択の自由度が増える。
【符号の説明】
【００２２】
Ｆ・・・  履物
Ｇ・・・  靴底
Ｈ・・・  接地面
１ ・・・ アウトソール
２ ・・・ ミッドソール
３ ・・・ アッパー
４ ・・・ 中底
４１・・・中底の踵部側部材
４２・・・中底の爪先部側部材
５ ・・・非伸縮性部材
４Ｘ・・・中底の踵部
４Ｙ・・・中底の爪先部
１Ｍ・・・アウトソールの溝部
２Ｍ・・・ミッドソールの溝部
【図１】
2018011769.tif 000003
【図２】
2018011769.tif 000004
【図３】
2018011769.tif 000005
【図４】
2018011769.tif 000006
【図５】
2018011769.tif 000007
【図６】
2018011769.tif 000008
【図７】
2018011769.tif 000009